(57)【要約】【課題】本体の内部のスペースを有効利用する加熱調理器を得ることを目的とする。【解決手段】加熱調理器は、本体と、本体の上方に設けられ、本体の内部に配置された加熱源で加熱される調理容器を載置するトッププレートと、を備えた加熱調理器であって、本体の内部に設けられ、本体の前面に開口を有する収納室を備え、収納室には、本体の前面側に引き出し可能で調理容器を配置するトレイが収納され、トレイには、調理容器を位置決めする位置決め部が設けられた。【選択図】図８
2017166712.tif 000002
【特許請求の範囲】
【請求項１】
本体と、
前記本体の上方に設けられ、前記本体の内部に配置された加熱源で加熱される調理容器を載置するトッププレートと、
を備えた加熱調理器であって、
前記本体の内部に設けられ、前記本体の前面に開口を有する収納室を備え、
前記収納室には、前記本体の前面側に引き出し可能で前記調理容器を配置するトレイが収納され、
前記トレイには、前記調理容器を位置決めする位置決め部が設けられた加熱調理器。
【請求項２】
前記位置決め部は、突没可能な位置決め突起である請求項１に記載の加熱調理器。
【請求項３】
前記トレイに位置決めされる前記調理容器は、第１調理容器および前記第１調理容器よりも小型で前記第１調理容器内に収納される第２調理容器を含み、
前記位置決め部は、前記第１調理容器の周囲を位置固定する第１位置決め突起および前記第２調理容器の周囲を位置固定する第２位置決め突起を含み、
前記第２位置決め突起は、突没可能である請求項１に記載の加熱調理器。
【請求項４】
前記第２位置決め突起は、下部に弾性体を有し、前記弾性体の付勢によって突出し、上方に前記第１調理容器が載置されると前記弾性体の付勢に抗して埋没する請求項３に記載の加熱調理器。
【請求項５】
前記第１調理容器および前記第２調理容器は、前記第１調理容器内に前記第２調理容器を収納する際に互いに嵌め合う嵌め合い部を有する請求項３または４に記載の加熱調理器。
【請求項６】
前記嵌め合い部は、前記第１調理容器の位置決め凹部と、前記第２調理容器の側壁から外側に突出して前記位置決め凹部に嵌め込まれる取っ手と、を含む請求項５に記載の加熱調理器。
【請求項７】
前記第１調理容器は、前記第２調理容器を内部に収納した状態で覆う蓋体を有する請求項３〜６のいずれか１項に記載の加熱調理器。
【請求項８】
前記第１調理容器は、前記トッププレートに載置されてグリル調理に用いられるグリルプレートであり、
前記第２調理容器は、前記トッププレートに載置されて天ぷら調理に用いられる天ぷら鍋である請求項３〜７のいずれか１項に記載の加熱調理器。
【請求項９】
前記加熱調理器は、キッチンに組み込まれるビルトイン型であり、
前記開口を開閉する前面扉を備え、
前記前面扉を含む前記本体の前面は、前記キッチンの前面と同一のデザインである請求項１〜８のいずれか１項に記載の加熱調理器。
【発明の詳細な説明】
【技術分野】
【０００１】
本発明は、本体の内部のスペースを有効利用した加熱調理器に関する。
【背景技術】
【０００２】
従来、特許文献１に開示されたグリル庫を備えた加熱調理器が知られている。特許文献１の加熱調理器では、本体の内部左側にグリル庫が配置されている。グリル庫は、前面に設けられた扉を開けてグリル庫内に魚などの被加熱物を投入し、扉を閉めて加熱調理に用いられる。
【０００３】
また、特許文献２に開示されたグリル庫を備えた加熱調理器が知られている。特許文献２の加熱調理器では、キッチンに組み込まれて使用される加熱調理器の本体の内部にグリル庫を備え、グリル庫の左右の両側に収納室を備えている。収納室には、食材、調味料、または調理容器などを収納することができる。収納室は、加熱調理器の加熱調理によってキッチンの内部空間が高温にならないように、キッチンの外部の空気を取り入れる前面がカバーで覆われた空気取込口から空気が取り込まれるようになっている。
【先行技術文献】
【特許文献】
【０００４】
【特許文献１】特開２００６−２１０１４６号公報
【特許文献２】特開２０１５−１５５７７８号公報
【発明の概要】
【発明が解決しようとする課題】
【０００５】
特許文献１、２の加熱調理器では、グリル庫を備えることが前提であり、加熱調理器の全体の部品点数が増加してコストが高くなる。
また、グリル庫は、加熱調理器の本体に内蔵されるため、グリル庫内の全体を清掃することが容易ではない。
さらに、グリル庫内で魚を焼いた後に、グリル庫内に魚の臭いおよび汚れが残存するため、たとえばケーキを焼くなどの他の調理を行うことを避ける傾向があった。そのため、現状、グリル庫が有効利用されていない。
【０００６】
そこで、有効利用されていないグリル庫をなくし、加熱調理器の全体の部品点数を削減してコストを低下させ、グリル庫を清掃する手間をなくすことが考えられる。
しかしながら、単にグリル庫をなくしただけでは加熱調理器の本体の内部にスペースが生じ、スペースが有効利用されない。
【０００７】
本発明は、上記課題を解決するためのものであり、本体の内部のスペースを有効利用する加熱調理器を得ることを目的とする。
【課題を解決するための手段】
【０００８】
本発明の加熱調理器は、本体と、前記本体の上方に設けられ、前記本体の内部に配置された加熱源で加熱される調理容器を載置するトッププレートと、を備えた加熱調理器であって、前記本体の内部に設けられ、前記本体の前面に開口を有する収納室を備え、前記収納室には、前記本体の前面側に引き出し可能で前記調理容器を配置するトレイが収納され、前記トレイには、前記調理容器を位置決めする位置決め部が設けられたものである。
【発明の効果】
【０００９】
本発明に係る加熱調理器によれば、本体の内部に設けられ、本体の前面に開口を有する収納室を備え、収納室には、本体の前面側に引き出し可能なトレイが収納され、トレイには、トッププレートに載置する調理容器を位置決めする位置決め部が設けられた。これにより、収納室に調理容器を位置決めして収納することができる。よって、本体の内部のスペースを有効利用することができる。
【図面の簡単な説明】
【００１０】
【図１Ａ】本発明の実施の形態１に係る加熱調理器を示す斜視図である。
【図１Ｂ】本発明の実施の形態１に係る加熱調理器の内部構造を示す斜視図である。
【図２】本発明の実施の形態１に係る加熱調理器を組み込む前のキッチンを示す斜視図である。
【図３】本発明の実施の形態１に係る加熱調理器をキッチンに組み込む様子を示す斜視図である。
【図４】本発明の実施の形態１に係る加熱調理器を組み込んだ状態のキッチンを示す斜視図である。
【図５】本発明の実施の形態１に係る加熱調理器の収納室のトレイを引き出した状態を示す斜視図である。
【図６】本発明の実施の形態１に係る加熱調理器の収納室のトレイにグリルプレートを載置した状態を示す斜視図である。
【図７】本発明の実施の形態１に係る加熱調理器の収納室のトレイにグリルプレートを載置した状態の図６のＡ−Ａ断面を示す説明図である。
【図８】本発明の実施の形態１に係る加熱調理器の収納室のトレイに天ぷら鍋を載置した状態を示す斜視図である。
【図９】本発明の実施の形態１に係る加熱調理器の収納室のトレイに天ぷら鍋を載置した状態の図８のＢ−Ｂ断面を示す説明図である。
【図１０】本発明の実施の形態１に係る加熱調理器の収納室に収納される１組の調理容器セットを示す分解斜視図である。
【図１１】本発明の実施の形態１に係る加熱調理器の収納室に収納される１組の調理容器セットの天ぷら鍋をグリルプレートに嵌め込んだ状態を示す分解斜視図である。
【図１２】本発明の実施の形態１に係る加熱調理器の収納室に収納される１組の調理容器セットを示す斜視図である。
【図１３】本発明の実施の形態１に係る加熱調理器の収納室に収納される１組の調理容器セットの天ぷら鍋をグリルプレートに嵌め込んだ状態を図１１のＣ−Ｃ断面で示す説明図である。
【図１４】本発明の実施の形態１に係る加熱調理器の収納室に収納される１組の調理容器セットをトレイ上に引き出した状態の断面を示す説明図である。
【図１５】本発明の実施の形態１に係る加熱調理器の１組の調理容器セットを収納室に収納した状態の断面を示す説明図である。
【発明を実施するための形態】
【００１１】
以下に、本発明に係る加熱調理器の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
実施の形態１．
図１Ａは、本発明の実施の形態１に係る加熱調理器１００を示す斜視図である。
図１Ａに示すように、加熱調理器１００は、誘導加熱コイル６を収容する本体１と、本体の上部の上枠２と、を備えている。上枠２は、本体１に組み付けられている。上枠２の上面の開口には、本体１の上方に設けられて鍋などの調理容器が載置されるトッププレート３が嵌め込まれている。
【００１３】
トッププレート３は、耐熱性ガラスあるいはセラミックなどの非金属材料で構成されている。トッププレート３には、鍋などの調理容器が載置される図示しない複数の加熱口が配置されている。トッププレート３の表面あるいは裏面には、複数の加熱口のそれぞれに調理容器を載置する際の目印となる表示が施されている。
【００１４】
加熱調理器１００の天面であってトッププレート３の手前側の上枠２には、使用者からの加熱調理に関する操作入力を受け付けると共に、使用者に加熱調理に関する情報を表示する操作表示部４が設けられている。操作表示部４は、ボタンを押すタイプの操作部を有している。
なお、操作表示部４は、加熱調理器１００の天面であってトッププレート３の範囲内に静電容量を検知して操作する静電スイッチタイプの操作基板を内蔵して設けられてもよい。
【００１５】
トッププレート３の背面側の上枠２には、キッチン２００の開口部２０２に加熱調理器１００を引っ掛ける平面部５が形成されている。
【００１６】
図１Ｂは、本発明の実施の形態１に係る加熱調理器１００の内部構造を示す斜視図である。
図１Ｂに示すように、本体１と上枠２とが組み合わされて形成される内部空間には、種々の部品が収容される。
たとえば、本体１の内部かつトッププレート３の下方には、調理容器を誘導加熱する誘導加熱コイル６が配置されている。誘導加熱コイル６は、トッププレート３の表面あるいは裏面に施された調理容器を載置する位置を定めた円環状の表示ラインの直下に配置されている。誘導加熱コイル６は、トッププレート３の前部に左右並列に２つ設けられる。誘導加熱コイル６は、巻線が環状に巻き回されて構成され、トッププレート３に載置された調理容器を誘導加熱により加熱する。
誘導加熱コイル６が本発明の加熱源に相当する。
【００１７】
誘導加熱コイル６は、フェライトおよび防磁リングなどと共に概ね円形状のコイルベースに収容され、コイルベースを介して複数のコイル支持部材によって底板の下面に固定されている。誘導加熱コイル６の下方には、空間が形成され、冷却風の流れが阻害されないようにして冷却効果が高められている。
また、加熱源は、誘導加熱コイル６の他に、ラジエントヒーターが設けられていてもよい。
【００１８】
本体１の内部の右側には、誘導加熱コイル６に高周波電力を供給するインバータ回路およびインバータ回路に接続された制御回路を搭載した制御基板８が配置されている。制御基板８は、誘導加熱コイル６の下方に空間を隔てて配置されている。
インバータ回路は、ＩＧＢＴ、ダイオードブリッジ、およびチョークコイルなどを含んで構成されている。インバータ回路は、制御回路の指令によって高周波電力の出力量を調整できる。
制御回路は、操作表示部４と接続され、相互に指令をやり取りする。
【００１９】
制御基板８の後方に、本体１の内部および制御基板８を冷却する送風ファン９を備えている。送風ファン９は、遠心式のファンである。送風ファン９は、スクロールケーシングに収容されている。また、送風ファン９は、電動機によって回転駆動される。送風ファン９は、下方から吸気が供給され、本体１の前方に向けて側部から冷却風を送り出す。
【００２０】
本体１の内部の左側下方には、本体１の内部に設けられ、本体１の前面に開口を有する収納室１０を備えている。収納室１０は、左側の誘導加熱コイル６の下方に空間を隔てて配置されている。
【００２１】
図２は、本発明の実施の形態１に係る加熱調理器１００を組み込む前のキッチン２００を示す斜視図である。図３は、本発明の実施の形態１に係る加熱調理器１００をキッチン２００に組み込む様子を示す斜視図である。図４は、本発明の実施の形態１に係る加熱調理器１００を組み込んだ状態のキッチン２００を示す斜視図である。
【００２２】
実施の形態１の加熱調理器１００は、図２に示すようなシンク２０１までのワークトップが繋がったシステムキッチンなどのキッチン２００に形成された据え付け用の開口部２０２に組み込まれて使用される、いわゆるビルトイン型のものである。
図３に示すように、加熱調理器１００は、キッチン２００の開口部２０２に前側を下方に下げ、カウンタートップ２０３に前方凹部１ａを組み合わせるようにして組み込まれる。
図４に示すように、加熱調理器１００は、キッチン２００に組み込まれた状態では、キッチン２００から天面および前面が露出する。
【００２３】
詳細には、加熱調理器１００がキッチン２００に組み込まれると、キッチン２００から露出する天面には、上枠２およびトッププレート３の両方が露出する。
また、加熱調理器１００がキッチン２００に組み込まれると、キッチン２００から露出する前面には、前面扉１１を含む本体１の前面１ｂが露出する。前面扉１１を含む本体１の前面１ｂは、キッチン２００から露出する前面の全範囲を占めている。
前面扉１１を含む本体１の前面１ｂは、キッチン２００の前面２０４と同一の面材を用い、キッチン２００の前面２０４と同一のデザインであり、統一感を持たせている。
【００２４】
図５は、本発明の実施の形態１に係る加熱調理器１００の収納室１０のトレイ１２を引き出した状態を示す斜視図である。図６は、本発明の実施の形態１に係る加熱調理器１００の収納室１０のトレイ１２にグリルプレート２０を載置した状態を示す斜視図である。図７は、本発明の実施の形態１に係る加熱調理器１００の収納室１０のトレイ１２にグリルプレート２０を載置した状態の図６のＡ−Ａ断面を示す説明図である。図８は、本発明の実施の形態１に係る加熱調理器１００の収納室１０のトレイ１２に天ぷら鍋３０を載置した状態を示す斜視図である。図９は、本発明の実施の形態１に係る加熱調理器１００の収納室１０のトレイ１２に天ぷら鍋３０を載置した状態の図８のＢ−Ｂ断面を示す説明図である。
【００２５】
図５に示すように、加熱調理器１００は、本体１の内部に設けられ、本体１の前面に開口を有する収納室１０を備えている。加熱調理器１００は、収納室１０の開口を開閉する前面扉１１を備えている。収納室１０には、前面扉１１に取り付けられると共に本体１の前面側に引き出し可能なトレイ１２が収納されている。トレイ１２は、平坦な表面である。
収納室１０は、誘導加熱コイル６の下方の空間に形成することができる。なお、この位置は、従来の加熱調理器であれば、グリル庫が形成されている位置である。よって、収納室１０には、トッププレート３上に載置する、たとえば、魚などのグリル調理用の大きな蓋体２３付きのグリルプレート２０あるいは天ぷら調理用の天ぷら鍋３０を収納することができる。グリルプレート２０および天ぷら鍋３０は、トレイ１２上に配置される。
図６に示すように、トレイ１２は、側面にレール１３を有している。レール１３は、収納室１０の内壁に設けられたレールガイド１４にガイドされてトレイ１２を前後方向にスライド可能にする。
【００２６】
図６、図７に示すように、トレイ１２には、トッププレート３に載置されてグリル調理に用いられるグリルプレート２０を位置決めする第１位置決め突起１５が設けられている。
第１位置決め突起１５は、グリルプレート２０の前方および後方の円弧部分の周囲を位置固定する。このため、第１位置決め突起１５は、円弧状に左右方向に曲がって延びて突出している。
第１位置決め突起１５は、グリルプレート２０専用の位置決め部である。グリルプレート２０は、操作表示部４にて指定される専用メニューで実行されるトッププレート３でのグリル調理専用の容器である。専用メニューでは、グリル調理専用の温度管理機能などが発揮される。グリルプレート２０は、有底楕円筒形状である。グリルプレート２０は、トッププレート３に載置されて誘導加熱コイル６により誘導加熱されるため、トッププレート３と接触する下面部を平坦に形成されている。グリルプレート２０は、下面部の上面に左右に延びる凹凸形状２１が形成されている。
ここで、グリルプレート２０が本発明の第１調理容器に相当する。第１調理容器は、グリルプレート以外の調理容器でもよい。第１位置決め突起１５が本発明の位置決め部に相当する。
【００２７】
図８、図９に示すように、トレイ１２には、トッププレート３に載置されて天ぷら調理に用いられる天ぷら鍋３０を位置決めする第２位置決め突起１６が設けられている。
第２位置決め突起１６は、天ぷら鍋３０の前方および後方のそれぞれ２箇所で天ぷら鍋３０の周囲を位置固定する。このため、第２位置決め突起１６は、合計４本突出している。
第２位置決め突起１６は、天ぷら鍋３０専用の位置決め部である。天ぷら鍋３０は、操作表示部４にて指定される専用メニューで実行されるトッププレート３での天ぷら調理専用の容器である。専用メニューでは、天ぷら調理専用の温度管理機能などが発揮される。天ぷら鍋３０は、有底円筒形状である。天ぷら鍋３０は、トッププレート３に載置されて誘導加熱コイル６により誘導加熱されるため、トッププレート３に接触する下面部を平坦に形成されている。
天ぷら鍋３０は、グリルプレート２０よりも小型で後述するようにグリルプレート２０内に収納される。このため、第２位置決め突起１６は、第１位置決め突起１５よりもトレイ１２の中心側に配置されている。
ここで、天ぷら鍋３０が本発明の第２調理容器に相当する。第２調理容器は、天ぷら鍋以外の調理容器でもよい。第２位置決め突起１６が本発明の位置決め部に相当する。
【００２８】
ここで、図６、図７に示したように、第１位置決め突起１５で位置固定されるグリルプレート２０がトレイ１２に載置されると、第２位置決め突起１６の配置箇所がグリルプレート２０で覆われる。このような場合に第２位置決め突起１６が邪魔にならないように、第２位置決め突起１６は、突没可能である。
つまり、第２位置決め突起１６は、下部にコイルばねあるいは板ばねなどの弾性体１７を有している。また、第２位置決め突起１６は、弾性体１７を配置した穴部１８に弾性体１７の上方に突出する突起部１９を有している。突起部１９は、穴部１８に収容可能である。トレイ１２は、図９に示すように第２位置決め突起１６が設けられる中央部を一段低位置に下方に下げて厚みを厚くし、弾性体１７を配置すると共に突起部１９を埋没させる穴部１８を形成するスペースを確保している。
そして、第２位置決め突起１６は、図８、図９に示すように通常時に弾性体１７の付勢によってトレイ１２の表面に突出する。一方、第２位置決め突起１６は、図６、図７に示すように上方にグリルプレート２０が載置されると弾性体１７の付勢に抗してトレイ１２の表面と同じ位置まで埋没する。
なお、実施の形態１では、第２位置決め突起１６だけが突没可能である。しかし、第１位置決め突起１５も突没可能でもよい。第１位置決め突起１５も突没可能であれば、トレイ１２の全面に対して、グリルプレート２０および天ぷら鍋３０以外の物品を搭載することもできる。
【００２９】
図１０は、本発明の実施の形態１に係る加熱調理器１００の収納室１０に収納される１組の調理容器セット４０を示す分解斜視図である。図１１は、本発明の実施の形態１に係る加熱調理器１００の収納室１０に収納される１組の調理容器セット４０の天ぷら鍋３０をグリルプレート２０に嵌め込んだ状態を示す分解斜視図である。図１２は、本発明の実施の形態１に係る加熱調理器１００の収納室１０に収納される１組の調理容器セット４０を示す斜視図である。図１３は、本発明の実施の形態１に係る加熱調理器１００の収納室１０に収納される１組の調理容器セット４０の天ぷら鍋３０をグリルプレート２０に嵌め込んだ状態を図１１のＣ−Ｃ断面で示す説明図である。
【００３０】
図１０、図１１、図１２、図１３に示すように、グリルプレート２０および天ぷら鍋３０は、加熱調理器１００の収納室１０に収納される１組の調理容器セット４０を構成する。
１組の調理容器セット４０は、グリルプレート２０と、グリルプレート２０内に収納される天ぷら鍋３０と、グリルプレート２０の蓋体２３と、で構成されている。
【００３１】
図１１に示すように、天ぷら鍋３０は、グリルプレート２０内に収納される。その際、グリルプレート２０の側壁の中央部分の縁部には、天ぷら鍋３０の側壁から外側に突出する取っ手３１を嵌めて固定する位置決め凹部２２が形成されている。図１３に示すように、天ぷら鍋３０の対向する２つの取っ手３１が位置決め凹部２２にそれぞれ嵌め込まれることで、グリルプレート２０内に収納された天ぷら鍋３０が位置ずれしないように互いに嵌め合う。
なお、グリルプレート２０の位置決め凹部２２と天ぷら鍋３０の取っ手３１とが本発明の嵌め合い部に相当する。嵌め合い部は、他の構成でもよい。たとえば、位置決め凹部は、天ぷら鍋３０の取っ手３１以外の突出部を嵌め込むものでもよい。また、位置決め凹部が天ぷら鍋３０に設けられ、突出部がグリルプレート２０に設けられるものでもよい。
【００３２】
図１２に示すように、グリルプレート２０の蓋体２３は、天ぷら鍋３０をグリルプレート２０内に収納した状態で、グリルプレート２０に取り付けることが可能である。このために、天ぷら鍋３０の取っ手３１が位置決め凹部２２に嵌め込まれた高さがグリルプレート２０の側壁の蓋体２３を支持する高さと一致している。これにより、蓋体２３は、がたつきなく天ぷら鍋３０をグリルプレート２０内に収納した状態で、天ぷら鍋３０とグリルプレート２０を覆う。このように、天ぷら鍋３０とグリルプレート２０とを１組の調理容器セット４０として全て一体的に収納室１０に収納できる。
グリルプレート２０が蓋体２３を有していることで、トッププレート３上でのグリルプレート２０を用いてのグリル調理中に煙の発生または油はねなどが防がれる。
この様に、グリルプレート２０および天ぷら鍋３０を収納することができるので、調理を行っている際に収納室１０を開放しても、トッププレート３上からの油はねなどで、グリルプレート２０や天ぷら鍋３０の内部を汚すことが無い。
【００３３】
図１４は、本発明の実施の形態１に係る加熱調理器１００の収納室１０に収納される１組の調理容器セット４０をトレイ１２上に引き出した状態の断面を示す説明図である。図１５は、本発明の実施の形態１に係る加熱調理器１００の１組の調理容器セット４０を収納室１０に収納した状態の断面を示す説明図である。
図１４に示すように、１組の調理容器セット４０は、下部がグリルプレート２０であるので、第１位置決め突起１５に位置固定される。また、第２位置決め突起１６は、グリルプレート２０に覆われて埋没した状態になる。１組の調理容器セット４０は、蓋体２３の最上部までの高さが収納室１０の上壁１０ａよりも低い。
図１５に示すように、前面扉１１を閉じるようにトレイ１２を後方にスライドさせると、１組の調理容器セット４０は、収納室１０に収納される。これにより、トッププレート３に載置されて使用される専用のグリルプレート２０および天ぷら鍋３０が一体的に収納できる。このため、専用のグリルプレート２０および天ぷら鍋３０の２つの物品が存在しても邪魔にならず、本体１の内部のスペースを有効利用できる。
【００３４】
以上の実施の形態１によれば、加熱調理器１００は、本体１を備えている。加熱調理器１００は、本体１の上方に設けられ、本体１の内部に配置された誘導加熱コイル６で誘導加熱されるグリルプレート２０および天ぷら鍋３０を載置するトッププレート３を備えている。加熱調理器１００は、本体１の内部に設けられ、本体１の前面に開口を有する収納室１０を備えている。収納室１０には、本体１の前面１ｂ側に引き出し可能でグリルプレート２０および天ぷら鍋３０を配置するトレイ１２が収納されている。トレイ１２には、グリルプレート２０および天ぷら鍋３０を位置決めする第１位置決め突起１５および第２位置決め突起１６が設けられている。
この構成によれば、収納室１０にグリルプレート２０および天ぷら鍋３０を位置決めして収納することができる。よって、本体１の内部のスペースを有効利用することができる。また、トレイ１２を引き出すとき、あるいはトレイ１２を収納するときに、収納室１０に収納したグリルプレート２０および天ぷら鍋３０はがたつきに起因する騒音を低減できる。
【００３５】
第１位置決め突起１５および第２位置決め突起１６は、突没可能である。
この構成によれば、第１位置決め突起１５および第２位置決め突起１６が突没可能であり、トレイ１２の全面に調理容器以外の物品を搭載することができる。つまり、グリルプレート２０および天ぷら鍋３０の様に、加熱調理器１００の専用の調理器具以外のものでも、収納することができる。
【００３６】
トレイ１２に位置決めされる調理容器は、グリルプレート２０およびグリルプレート２０よりも小型でグリルプレート２０内に収納される天ぷら鍋３０を含む。第１位置決め突起１５は、グリルプレート２０の周囲を位置固定する。第２位置決め突起１６は、天ぷら鍋３０の周囲を位置固定する。第２位置決め突起１６は、突没可能である。
この構成によれば、第１位置決め突起１５は、グリルプレート２０を位置固定できる。第２位置決め突起１６は、天ぷら鍋３０を位置固定できる。グリルプレート２０は、天ぷら鍋３０よりも大きいので、第１位置決め突起１５がグリルプレート２０を位置固定するとき、第２位置決め突起１６が埋没する。
【００３７】
第２位置決め突起１６は、下部に弾性体１７を有している。第２位置決め突起１６は、弾性体１７の付勢によって突出する。第２位置決め突起１６は、上方にグリルプレート２０が載置されると弾性体１７の付勢に抗して埋没する。
この構成によれば、トレイ１２上にグリルプレート２０および天ぷら鍋３０を位置固定することができる。
【００３８】
グリルプレート２０および天ぷら鍋３０は、グリルプレート２０内に天ぷら鍋３０を収納する際に互いに嵌め合う嵌め合い部である位置決め凹部２２および取っ手３１を有している。
この構成によれば、グリルプレート２０内に天ぷら鍋３０を収納してもがたつきに起因する騒音が生じず、天ぷら鍋３０が位置固定できる。
【００３９】
互いに嵌め合う嵌め合い部は、グリルプレート２０の位置決め凹部２２と、天ぷら鍋３０の側壁から外側に突出して位置決め凹部２２に嵌め込まれる取っ手３１と、を含む。
この構成によれば、グリルプレート２０および天ぷら鍋３０は、グリルプレート２０内に天ぷら鍋３０を収納する際に互いに嵌め合う。
【００４０】
グリルプレート２０は、天ぷら鍋３０を内部に収納した状態で覆う蓋体２３を有している。
この構成によれば、グリルプレート２０と天ぷら鍋３０と蓋体２３とが一組の調理容器セット４０を構成する。一組の調理容器セット４０は、収納室１０に収納され、本体１の内部のスペースを有効利用することができる。グリルプレート２０が蓋体２３を有していることで、グリルプレート２０でのグリル調理中の煙の発生または油はねなどが防がれる。
【００４１】
グリルプレート２０は、トッププレート３に載置されてグリル調理に用いられる。天ぷら鍋３０は、トッププレート３に載置されて天ぷら調理に用いられる。
この構成によれば、専用メニューに用いられる調理容器を収納室１０に収納することができる。特に、従来グリル庫で調理するグリル調理がトッププレート３に載置されてグリル調理に用いられるグリルプレート２０で調理できるので、グリル庫を設置しないことで、コストが低減する。
【００４２】
加熱調理器１００は、キッチン２００に組み込まれるビルトイン型である。収納室１０の開口を開閉する前面扉１１を備えている。前面扉１１を含む本体１の前面１ｂは、キッチン２００の前面２０４と同一のデザインである。
この構成によれば、加熱調理器１００を組み込んだキッチン２００が全体的に統一したデザインに整えられる。
【００４３】
なお、上記の実施の形態の構成を適宜組み合わせることも当初から予定している。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４４】
１  本体、１ａ  前方凹部、１ｂ  前面、２  上枠、３  トッププレート、４  操作表示部、５  平面部、６  誘導加熱コイル、８  制御基板、９  送風ファン、１０  収納室、１０ａ  上壁、１１  前面扉、１２  トレイ、１３  レール、１４  レールガイド、１５  第１位置決め突起、１６  第２位置決め突起、１７  弾性体、１８  穴部、１９  突起部、２０  グリルプレート、２１  凹凸形状、２２  位置決め凹部、２３  蓋体、３０  天ぷら鍋、３１  取っ手、４０  調理容器セット、１００  加熱調理器、２００  キッチン、２０１  シンク、２０２  開口部、２０３  カウンタートップ、２０４  前面。
【図１Ａ】
2017166712.tif 000003
【図１Ｂ】
2017166712.tif 000004
【図２】
2017166712.tif 000005
【図３】
2017166712.tif 000006
【図４】
2017166712.tif 000007
【図５】
2017166712.tif 000008
【図６】
2017166712.tif 000009
【図７】
2017166712.tif 000010
【図８】
2017166712.tif 000011
【図９】
2017166712.tif 000012
【図１０】
2017166712.tif 000013
【図１１】
2017166712.tif 000014
【図１２】
2017166712.tif 000015
【図１３】
2017166712.tif 000016
【図１４】
2017166712.tif 000017
【図１５】
2017166712.tif 000018